(57)【要約】【課題】サイネージ表示パネル上のブラウザの表示内容を切り替えたりブラウザに動作内容を表示したりするデジタルサイネージ制御システムを提供する。【解決手段】デジタルサイネージ制御システム１００は、サイネージ表示パネル１１０と、サイネージ表示パネル１１０の外部（ＳＰ）と通信自在な通信手段（１２０）と、サイネージ表示パネル１１０に表示されるブラウザ１３０と、ブラウザ１３０の表示に関する所定の動作命令を含むブラウザプログラム１４０と、ブラウザプログラム１４０を実行してブラウザ１３０を制御する制御部（１２０）とを備え、通信手段（１２０）が、外部（ＳＰ）から所定の動作の指示を受信したとき、制御部（１２０）が、所定の動作についてのブラウザプログラム１４０の動作命令を実行してブラウザ１３０に所定の動作を表示させる構成である。【選択図】図１
2018189785.tif 000002
【特許請求の範囲】
【請求項１】
サイネージ表示パネルと、サイネージ表示パネルの外部と通信自在な通信手段と、サイネージ表示パネルに表示されるブラウザと、ブラウザの表示に関する所定の動作命令を含むブラウザプログラムと、ブラウザプログラムを実行してブラウザを制御する制御部とを備えたデジタルサイネージ制御システムであって、
前記通信手段が、前記外部から所定の動作の指示を受信したとき、前記制御部が、前記所定の動作についてのブラウザプログラムの動作命令を実行してブラウザに前記所定の動作を表示させる構成であることを特徴とするデジタルサイネージ制御システム。
【請求項２】
音声を発するスピーカをさらに有し、
前記ブラウザプログラムが、前記スピーカで音声を発する所定の音声動作命令を含み、
前記通信手段が、前記外部から所定の音声動作の指示を受信したとき、前記制御部が、前記音声動作についてのブラウザプログラムの音声動作命令を実行してスピーカに前記所定の音声を発生させる構成であることを特徴とする請求項１に記載のデジタルサイネージ制御システム。
【請求項３】
前記所定の動作を示す画像をリソース内容とするデータが、前記外部のサーバに設けられ、
前記通信手段が、前記外部から所定の動作の指示を受信したとき、前記ブラウザが、前記通信手段を用いてインターネット上のリソース特定情報であるユニフォーム・リソース・ロケータを読み込んで前記所定の動作を表示する構成であることを特徴とする請求項１または請求項２に記載のデジタルサイネージ制御システム。
【請求項４】
複数の画像ファイルを記憶する記憶部をさらに備え、
前記通信手段が、前記外部から所定の動作の指示を受信したとき、前記制御部が、前記記憶部から画像ファイルを選択し、前記ブラウザが、前記画像ファイルを再生して表示する構成であることを特徴とする請求項１または請求項２に記載のデジタルサイネージ制御システム。
【請求項５】
前記ブラウザプログラムが、ハイパーテキスト・マークアップ・ランゲージ形式であることを特徴とする請求項１乃至請求項４のいずれか１つに記載のデジタルサイネージ制御システム。
【請求項６】
前記通信手段が、前記外部のコンピュータ端末と通信自在であり、
前記通信手段が、前記コンピュータ端末から所定の動作の指示を受信したとき、前記制御部が、前記所定の動作についてのブラウザプログラムの動作命令を実行する構成であることを特徴とする請求項１乃至請求項５のいずれか１つに記載のデジタルサイネージ制御システム。
【請求項７】
前記通信手段が、前記外部のチャットボットと通信自在であり、
前記通信手段が、前記チャットボットから所定の動作の指示を受信したとき、前記制御部が、前記所定の動作についてのブラウザプログラムの動作命令を実行する構成であることを特徴とする請求項１乃至請求項５のいずれか１つに記載のデジタルサイネージ制御システム。
【請求項８】
前記通信手段が、前記外部の基幹系システムと通信自在であり、
前記通信手段が、前記基幹系システムから所定の動作の指示を受信したとき、前記制御部が、前記所定の動作についてのブラウザプログラムの動作命令を実行する構成であることを特徴とする請求項１乃至請求項５のいずれか１つに記載のデジタルサイネージ制御システム。
【請求項９】
サイネージ表示パネルと、サイネージ表示パネルの外部と通信自在な通信手段と、サイネージ表示パネルに表示されるブラウザと、ブラウザを制御する制御部とを備えたデジタルサイネージ制御システムのブラウザプログラムであって、
前記通信手段が、前記外部から所定の動作の指示を受信したとき、前記所定の動作についての動作命令を有してブラウザに前記所定の動作を表示させる表示ステップをサイネージ表示パネルに実行させることを特徴とするデジタルサイネージ制御システムのブラウザプログラム。
【発明の詳細な説明】
【技術分野】
【０００１】
本発明は、サイネージ表示パネルと、サイネージ表示パネルの外部と通信自在な通信手段と、サイネージ表示パネルに表示されるブラウザと、ブラウザの表示に関する所定の動作命令を含むブラウザプログラムと、ブラウザプログラムを実行してブラウザを制御する制御部とを備えたデジタルサイネージ制御システムおよびそのブラウザプログラムに関する。
【背景技術】
【０００２】
従来、電子メールを受信するメール受信部と、電子メールに基づいてデジタルサイネージのコンテンツを生成するコンテンツ生成部と、コンテンツ生成部を制御する制御部とを備えたデジタルサイネージ装置が知られている（例えば、特許文献１参照）。
【先行技術文献】
【特許文献】
【０００３】
【特許文献１】特開２０１６−１７７４３５号公報（特に図１参照）
【発明の概要】
【発明が解決しようとする課題】
【０００４】
しかしながら、上述した従来のデジタルサイネージ装置は、電子メールに基づいてコンテンツを生成する構成であったため、コンテンツ内容の切り替えや、コンテンツ内容の動作について操作することが困難であるという問題があった。
【０００５】
そこで、本発明は、前述したような従来技術の問題を解決するものであって、すなわち、本発明の目的は、サイネージ表示パネル上のブラウザの表示内容を切り替えたりブラウザに動作内容を表示したりするデジタルサイネージ制御システムおよびそのブラウザプログラムを提供することである。
【課題を解決するための手段】
【０００６】
本請求項１に係る発明は、サイネージ表示パネルと、サイネージ表示パネルの外部と通信自在な通信手段と、サイネージ表示パネルに表示されるブラウザと、ブラウザの表示に関する所定の動作命令を含むブラウザプログラムと、ブラウザプログラムを実行してブラウザを制御する制御部とを備えたデジタルサイネージ制御システムであって、前記通信手段が、前記外部から所定の動作の指示を受信したとき、前記制御部が、前記所定の動作についてのブラウザプログラムの動作命令を実行してブラウザに前記所定の動作を表示させる構成であることにより、前述した課題を解決するものである。
【０００７】
本請求項２に係る発明は、請求項１に記載されたデジタルサイネージ制御システムの構成に加えて、音声を発するスピーカをさらに有し、前記ブラウザプログラムが、前記スピーカで音声を発する所定の音声動作命令を含み、前記通信手段が、前記外部から所定の音声動作の指示を受信したとき、前記制御部が、前記音声動作についてのブラウザプログラムの音声動作命令を実行してスピーカに前記所定の音声を発生させる構成であることにより、前述した課題をさらに解決するものである。
【０００８】
本請求項３に係る発明は、請求項１または請求項２に記載されたデジタルサイネージ制御システムの構成に加えて、前記所定の動作を示す画像をリソース内容とするデータが、前記外部のサーバに設けられ、前記通信手段が、前記外部から所定の動作の指示を受信したとき、前記ブラウザが、前記通信手段を用いてインターネット上のリソース特定情報であるユニフォーム・リソース・ロケータを読み込んで前記所定の動作を表示する構成であることにより、前述した課題をさらに解決するものである。
【０００９】
本請求項４に係る発明は、請求項１または請求項２に記載されたデジタルサイネージ制御システムの構成に加えて、複数の画像ファイルを記憶する記憶部をさらに備え、前記通信手段が、前記外部から所定の動作の指示を受信したとき、前記制御部が、前記記憶部から画像ファイルを選択し、前記ブラウザが、前記画像ファイルを再生して表示する構成であることにより、前述した課題をさらに解決するものである。
【００１０】
本請求項５に係る発明は、請求項１乃至請求項４のいずれか１つに記載されたデジタルサイネージ制御システムの構成に加えて、前記ブラウザプログラムが、ハイパーテキスト・マークアップ・ランゲージ形式であることにより、前述した課題をさらに解決するものである。
【００１１】
本請求項６に係る発明は、請求項１乃至請求項５のいずれか１つに記載されたデジタルサイネージ制御システムの構成に加えて、前記通信手段が、前記外部のコンピュータ端末と通信自在であり、前記通信手段が、前記コンピュータ端末から所定の動作の指示を受信したとき、前記制御部が、前記所定の動作についてのブラウザプログラムの動作命令を実行する構成であることにより、前述した課題をさらに解決するものである。
【００１２】
本請求項７に係る発明は、請求項１乃至請求項５のいずれか１つに記載されたデジタルサイネージ制御システムの構成に加えて、前記通信手段が、前記外部のチャットボットと通信自在であり、前記通信手段が、前記チャットボットから所定の動作の指示を受信したとき、前記制御部が、前記所定の動作についてのブラウザプログラムの動作命令を実行する構成であることにより、前述した課題をさらに解決するものである。
【００１３】
本請求項８に係る発明は、請求項１乃至請求項５のいずれか１つに記載されたデジタルサイネージ制御システムの構成に加えて、前記通信手段が、前記外部の基幹系システムと通信自在であり、前記通信手段が、前記基幹系システムから所定の動作の指示を受信したとき、前記制御部が、前記所定の動作についてのブラウザプログラムの動作命令を実行する構成であることにより、前述した課題をさらに解決するものである。
【００１４】
本請求項９に係る発明は、サイネージ表示パネルと、サイネージ表示パネルの外部と通信自在な通信手段と、サイネージ表示パネルに表示されるブラウザと、ブラウザを制御する制御部とを備えたデジタルサイネージ制御システムのブラウザプログラムであって、前記通信手段が、前記外部から所定の動作の指示を受信したとき、前記所定の動作についての動作命令を有してブラウザに前記所定の動作を表示させる表示ステップをサイネージ表示パネルに実行させることにより、前述した課題を解決するものである。
【発明の効果】
【００１５】
本発明のデジタルサイネージ制御システムは、サイネージ表示パネルを備えていることにより、画像を表示することができるばかりでなく、以下のような特有の効果を奏することができる。
【００１６】
本請求項１に係る発明のデジタルサイネージ制御システムによれば、他のコンピュータ端末やボットやシステムなど外部から所定の動作の指示があったときに所定の動作命令が実行されるため、他のコンピュータ端末やボットやシステムなどからの指示によってサイネージ表示パネル上のブラウザの表示内容を切り替えたり、ブラウザに動作内容を表示したりすることができる。
【００１７】
本請求項２に係る発明のデジタルサイネージ制御システムによれば、請求項１に係る発明が奏する効果に加えて、他のコンピュータ端末やボットやシステムなど外部から音声動作の指示があったときに音声動作命令が実行されるため、ブラウザの表示とともに音声を発することができる。
【００１８】
本請求項３に係る発明のデジタルサイネージ制御システムによれば、請求項１または請求項２に係る発明が奏する効果に加えて、通信手段が外部のサーバと通信してユニフォーム・リソース・ロケータ（以下、ＵＲＬ）のリソース内容である所定の動作を示す動画などの画像がブラウザに表示されるため、サイネージ表示パネル毎に記憶部を設ける必要がなく、それぞれのブラウザに同じ動画などの画像を表示させることができる。
【００１９】
本請求項４に係る発明のデジタルサイネージ制御システムによれば、請求項１または請求項２に係る発明が奏する効果に加えて、動作の指示の内容に応じて記憶部に予め設けられた動画などの画像ファイルが選択され再生されるため、すぐにサイネージ表示パネル上のブラウザに動作を表示することができる。
【００２０】
本請求項５に係る発明のデジタルサイネージ制御システムによれば、請求項１乃至請求項４のいずれか１つに係る発明が奏する効果に加えて、簡易なプログラムとなるため、容易にブラウザプログラムを構成して動作をサイネージ表示パネルに表示することができる。
【００２１】
本請求項６に係る発明のデジタルサイネージ制御システムによれば、請求項１乃至請求項５のいずれか１つに係る発明が奏する効果に加えて、パーソナルコンピュータ端末やスマートフォン端末などのコンピュータ端末から動作の指示を送信自在となるため、パーソナルコンピュータ端末やスマートフォン端末などのコンピュータ端末を用いてサイネージ表示パネルに表示される動作を操作することができる。
【００２２】
本請求項７に係る発明のデジタルサイネージ制御システムによれば、請求項１乃至請求項５のいずれか１つに係る発明が奏する効果に加えて、チャットボットから動作の指示を送信自在となるため、チャットボットを用いてサイネージ表示パネルに表示される動作を操作することができる。
さらに、ユーザーがサイネージ表示パネルのある場所から離れた遠隔地にいて直接サイネージ表示パネルに対して動作の指示をできない場合であっても、意図した動作の指示がチャットボットを介してブラウザ側に伝わるため、ユーザーは、サイネージ表示パネルを遠隔操作することができる。
また、意図した指示がチャット形式のプッシュ通知でユーザーの端末からサイネージ表示パネル側に伝わるため、殆どタイムラグなしでサイネージ表示パネルを動作させることができる。
例えば、ユーザーがコンピュータ端末を用いてチャットボットに対して所定の動作の指示をし、チャットボットが複数のサイネージ表示パネル上のブラウザに同時に所定の動作の指示をすると、複数のサイネージ表示パネル上のブラウザが同時に所定の動作を表示することができる。
【００２３】
本請求項８に係る発明のデジタルサイネージ制御システムによれば、請求項１乃至請求項５のいずれか１つに係る発明が奏する効果に加えて、常に稼働する基幹系システムから動作の指示を送信自在となるため、基幹系システムと連係させてサイネージ表示パネルに表示される動作を操作することができる。
例えば、基幹系システムが会社内の売上管理システムであり、売上目標を達成したときにサイネージ表示パネル上のブラウザの表示を「売上達成おめでとう！」の旨の画像に切り替えることができる。
また、お客様が機器を操作した後にサイネージ表示パネルに表示されたキャラクターが「ありがとうございました！」と言ってお辞儀をする動作を表示することができる。
【００２４】
本請求項９に係る発明のデジタルサイネージ制御システムのブラウザプログラムによれば、請求項１に係る発明が奏する効果と同様、他のコンピュータ端末やボットやシステムなど外部から所定の動作の指示があったときに所定の動作命令が実行されるため、他のコンピュータ端末やボットやシステムなどからの指示によってサイネージ表示パネル上のブラウザの表示内容を切り替えたりブラウザに動作内容を表示したりすることができる。
【図面の簡単な説明】
【００２５】
【図１】本発明の第１実施例であるデジタルサイネージ制御システムを示す概念図。
【図２】本発明の第１実施例のデジタルサイネージ制御システムのブラウザプログラムの一例を示す図。
【図３】本発明の第１実施例のデジタルサイネージ制御システムのチャート図。
【図４】本発明の第１実施例のデジタルサイネージ制御システムの動作を示す図。
【図５】本発明の第２実施例のデジタルサイネージ制御システムの動作を示す図。
【図６】本発明の第３実施例のデジタルサイネージ制御システムの動作を示す図。
【発明を実施するための形態】
【００２６】
本発明のデジタルサイネージ制御システムは、サイネージ表示パネルと、サイネージ表示パネルの外部と通信自在な通信手段と、サイネージ表示パネルに表示されるブラウザと、ブラウザの表示に関する所定の動作命令を含むブラウザプログラムと、ブラウザプログラムを実行してブラウザを制御する制御部とを備え、通信手段が、外部から所定の動作の指示を受信したとき、制御部が、所定の動作についてのブラウザプログラムの動作命令を実行してブラウザに所定の動作を表示させる構成であることにより、他のコンピュータ端末やボットや他のシステムなど外部からの指示によってサイネージ表示パネル上のブラウザの表示内容を切り替えたりブラウザに動作内容を表示したりするものであれば、その具体的な実施態様は、如何なるものであっても構わない。
また、本発明のデジタルサイネージ制御システムのブラウザプログラムは、通信手段が、外部から所定の動作の指示を受信したとき、所定の動作についての動作命令を有してブラウザに所定の動作を表示させる表示ステップをサイネージ表示パネルに実行させることにより、他のコンピュータ端末やボットや他のシステムなど外部からの指示によってサイネージ表示パネル上のブラウザの表示内容を切り替えたりブラウザに動作内容を表示したりするものであれば、その具体的な実施態様は、如何なるものであっても構わない。
【００２７】
例えば、通信手段および制御部は、サイネージ表示パネルと一体に構成されたものでもよいし、サイネージ表示パネルに対して着脱自在に構成されたものでもよい。
また、ブラウザプログラムは、サイネージ表示パネルにインストールされたものでもよいし、サイネージ表示パネルに対して着脱自在な電子回路モジュールにインストールされたものでもよい。
さらに、所定の動作の指示をする外部は、他のコンピュータ端末やボットや他のシステムなど動作の指示をすることができるものであれば如何なるものであっても構わない。
また、制御するサイネージ表示パネルの数は、単数でもよいし、複数でもよい。
【実施例１】
【００２８】
以下に、本発明の第１実施例であるデジタルサイネージ制御システム１００について、図１乃至図４に基づいて説明する。
ここで、図１は、本発明の第１実施例であるデジタルサイネージ制御システム１００を示す概念図であり、図２は、本発明の第１実施例のデジタルサイネージ制御システム１００のブラウザプログラム１４０の一例を示す図であり、図３は、本発明の第１実施例のデジタルサイネージ制御システム１００のチャート図であり、図４は、本発明の第１実施例のデジタルサイネージ制御システム１００の動作を示す図である。
【００２９】
本発明の第１実施例であるデジタルサイネージ制御システム１００は、図１および図２に示すように、サイネージ表示パネル１１０と、電子回路モジュール１２０と、サイネージ表示パネル１１０に表示されるブラウザ１３０とを備えている。
このうち、電子回路モジュール１２０は、シングルボードコンピュータであり、少なくとも、回路基板と、制御部と、記憶部と、コネクタと、通信手段である無線通信部とを有している。
【００３０】
そして、電子回路モジュール１２０は、サイネージ表示パネル１１０の裏側においてＨＤＭＩ（登録商標）（High-Definition Multimedia Interface）コネクタでサイネージ表示パネル１１０に対して着脱自在に設けられている。
また、電子回路モジュール１２０の無線通信部は、サイネージ表示パネル１１０の外部の一例であるスマートフォン端末ＳＰと通信自在に設けられている。
さらに、電子回路モジュール１２０の記憶部には、ブラウザ１３０を表示するとともにブラウザ１３０の表示に関する所定の動作命令を含むブラウザプログラム１４０がインストールされている。
また、電子回路モジュール１２０の制御部は、ブラウザプログラム１４０を実行してブラウザ１３０を制御するように構成されている。
【００３１】
ブラウザプログラム１４０は、一例として、ハイパーテキスト・マークアップ・ランゲージ形式（以下、ＨＴＬＭ形式という）である（図２参照）。
本実施例では、無線通信部が、外部から所定の動作の指示を受信したとき、制御部が、所定の動作についてのブラウザプログラム１４０の動作命令を実行してブラウザ１３０に所定の動作を表示させるように構成されている。
これにより、外部のスマートフォン端末ＳＰから所定の動作の指示があったときに所定の動作命令が実行される。
その結果、スマートフォン端末ＳＰからの指示によってサイネージ表示パネル１１０上のブラウザ１３０の表示内容を切り替えたり、ブラウザ１３０に動作内容を表示することができる。
【００３２】
さらに、音声を発するスピーカ（図示せず）が、サイネージ表示パネル１１０と一体に設けられている。
ブラウザプログラム１４０が、スピーカで音声を発する所定の音声動作命令を含んでいる。
そして、無線通信部が、外部から所定の音声動作の指示を受信したとき、制御部が、音声動作についてのブラウザプログラム１４０の音声動作命令を実行してスピーカに所定の音声を発生させるように構成されている。
これにより、スマートフォン端末ＳＰから音声動作の指示があったときに音声動作命令が実行される。
その結果、ブラウザ１３０の表示とともに音声を発することができる。
【００３３】
また、電子回路モジュール１２０の記憶部が、複数の動画などの画像ファイルを記憶している。
無線通信部が、外部から所定の動作の指示を受信したとき、制御部が、記憶部から画像ファイルを選択し、ブラウザ１３０が、画像ファイルを再生して表示するように構成されている。
これにより、動作の指示の内容に応じて記憶部に予め設けられた動画などの画像ファイルが選択され再生される。
その結果、すぐにサイネージ表示パネル１１０上のブラウザ１３０に動作を表示することができる。
【００３４】
以下、スマートフォン端子から所定の動作の指示を受けたときの動作例について説明する。
図３および図４に示すように、ユーザーが、スマートフォン端子を用いて、例えば、「受付挨拶」の動作の指示をサイネージ表示パネル１１０に向けて送信したとする。
すると、図３のステップＳ１に示すように、電子回路モジュール１２０の制御部が、ブラウザプログラム１４０に基づいて、無線通信部を介して所定の動作の指示「受付挨拶」を受信したか否かを判定する。
受信したと判定した場合はステップＳ２へ進み、他方、否と判定した場合はステップＳ１を繰り返す。
【００３５】
ステップＳ２では、表示ステップとして、制御部が、所定の動作についてのブラウザプログラム１４０の動作命令を実行してブラウザ１３０に所定の動作を表示させる。
一例として、図２に示すブラウザプログラム１４０のＨＴＭＬタグに基づいて、一例として電子回路モジュール１２０の記憶部に予め準備された音楽ファイル「aisatsu.wav」を再生して、図４に示すように、サイネージ表示パネル１１０に内蔵されたスピーカを用いて、所定の音楽を鳴らすとともに、「こんにちは！」と発話させる。
それとともに、制御部が、一例として電子回路モジュール１２０の記憶部に予め準備されたアニメーション動画ファイル「受付挨拶の動画」を再生させ、サイネージ表示パネル１１０のブラウザ１３０に女性キャラクターがお辞儀して微笑む動画を表示させる。
さらに、スピーカを用いて、サイネージ表示パネル１１０の前にいる人に対して、「今日はどのような用件でしょうか？」と尋ねる。
なお、ブラウザ１３０については、所謂、全画面表示設定にして、サイネージ表示パネル１１０においてブラウザ１３０の枠を表示させない。
また、電子回路モジュール１２０の記憶部にアクセスしたが、ＵＲＬを参照して外部のサーバＳＶ（図５参照）にアクセスしてもよい。
複数の所定の動作の指示に対して、ブラウザプログラム１４０の数は１つでもよいし、１対１の関係で複数でもよい。
また、所定の動作の指示毎に、ブラウザ１３０を新しいウインドウとして開いてブラウザプログラム１４０の動作命令を実行してもよいし、ブラウザ１３０において新しいタブで開いてブラウザプログラム１４０の動作命令を実行してもよい。
所定の動作の指示を新たに受信したとき、制御部が、既に表示されたブラウザ１３０を閉じるとともに、新しいウインドウとしてブラウザ１３０を開いて、新たに受信した所定の動作の内容をブラウザ１３０に表示させるように構成されている。
これにより、ブラウザ１３０の表示内容を切り替えたり、ブラウザ１３０に動作内容を表示したりすることができる。
なお、所定の動作の指示を新たに受信したとき、制御部が、既に表示されたブラウザ１３０をそのままの状態で残し、新しいウインドウとしてブラウザ１３０またはブラウザ１３０の新しいタブを、既に表示されたブラウザ１３０の上に重ねて開いて、新たに受信した所定の動作の内容を新しいウインドウとしてブラウザ１３０またはブラウザ１３０の新しいタブに表示させるように構成してもよい。
【００３６】
このようにして得られた本発明の第１実施例であるデジタルサイネージ制御システム１００は、サイネージ表示パネル１１０と、サイネージ表示パネル１１０の外部と通信自在な通信手段である電子回路モジュール１２０の無線通信部と、サイネージ表示パネル１１０に表示されるブラウザ１３０と、ブラウザ１３０の表示に関する所定の動作命令を含むブラウザプログラム１４０と、ブラウザプログラム１４０を実行してブラウザ１３０を制御する電子回路モジュール１２０の制御部とを備え、無線通信部が、外部の一例であるスマートフォン端末ＳＰから所定の動作の指示を受信したとき、制御部が、所定の動作についてのブラウザプログラム１４０の動作命令を実行してブラウザ１３０に所定の動作を表示させる構成であることにより、他のコンピュータ端末やボットやシステムなどの一例であるスマートフォン端末ＳＰからの指示によってサイネージ表示パネル１１０上のブラウザ１３０の表示内容を切り替えたり、ブラウザ１３０に動作内容を表示したりすることができる。
【００３７】
さらに、音声を発するスピーカをさらに有し、ブラウザプログラム１４０が、スピーカで音声を発する所定の音声動作命令を含み、無線通信部が、外部の一例であるスマートフォン端末ＳＰから所定の音声動作の指示を受信したとき、制御部が、音声動作についてのブラウザプログラム１４０の音声動作命令を実行してスピーカに所定の音声を発生させる構成であることにより、ブラウザ１３０の表示とともに音声を発することができる。
【００３８】
また、複数の画像ファイルを記憶する電子回路モジュール１２０の記憶部をさらに備え、無線通信部が、外部の一例であるスマートフォン端末ＳＰから所定の動作の指示を受信したとき、制御部が、記憶部から画像ファイルを選択し、ブラウザ１３０が、画像ファイルを再生して表示する構成であることにより、すぐにサイネージ表示パネル１１０上のブラウザ１３０に動作を表示することができる。
【００３９】
さらに、ブラウザプログラム１４０が、ハイパーテキスト・マークアップ・ランゲージ形式であることにより、容易にブラウザプログラム１４０を構成して動作をサイネージ表示パネル１１０に表示することができる。
【００４０】
また、無線通信部が、外部のコンピュータ端末の一例であるスマートフォン端末ＳＰと通信自在であり、無線通信部が、スマートフォン端末ＳＰから所定の動作の指示を受信したとき、制御部が、所定の動作についてのブラウザプログラム１４０の動作命令を実行する構成であることにより、パーソナルコンピュータ端末やスマートフォン端末ＳＰなどのコンピュータ端末の一例であるスマートフォン端末ＳＰを用いてサイネージ表示パネル１１０に表示される動作を操作することができる。
【００４１】
本発明の第１実施例であるデジタルサイネージ制御システム１００のブラウザプログラム１４０は、無線通信部が、外部の一例であるスマートフォン端末ＳＰから所定の動作の指示を受信したとき、所定の動作についての動作命令を有してブラウザ１３０に所定の動作を表示させる表示ステップをサイネージ表示パネル１１０に実行させることにより、他のコンピュータ端末やボットやシステムなどの一例であるスマートフォン端末ＳＰからの指示によってサイネージ表示パネル１１０上のブラウザ１３０の表示内容を切り替えたり、ブラウザ１３０に動作内容を表示したりすることができるなど、その効果は甚大である。
【実施例２】
【００４２】
続いて、本発明の第２実施例であるデジタルサイネージ制御システム１００について、図５に基づいて説明する。
ここで、図５は、本発明の第２実施例のデジタルサイネージ制御システム１００の動作を示す図である。
第２実施例のデジタルサイネージ制御システム１００は、第１実施例のデジタルサイネージ制御システム１００の外部のスマートフォン端末ＳＰからの指示をボットからの動作の指示に変更するとともに、記憶部のファイルなどを再生する構成をインターネット上のリソース特定情報であるユニフォーム・リソース・ロケータを読み込んでサーバＳＶにアクセスして動画ファイルなどを再生する構成に変更したものであり、多くの要素について第１実施例のデジタルサイネージ制御システム１００と共通するので、共通する事項については詳しい説明を省略する。
【００４３】
本発明の第２実施例であるデジタルサイネージ制御システム１００は、図５に示すように、サイネージ表示パネル１１０と、電子回路モジュール１２０と、サイネージ表示パネル１１０に表示されるブラウザ１３０とを備えている。
本実施例では、所定の動作を示す画像をリソース内容とするデータが、外部のサーバＳＶに設けられている。
さらに、無線通信部が、外部から所定の音声動作の指示を受信したとき、ブラウザ１３０が、無線通信部を用いてインターネット上のリソース特定情報であるユニフォーム・リソース・ロケータを読み込んで所定の動作を表示するように構成されている。
これにより、無線通信部が外部のサーバＳＶと通信して、ＵＲＬのリソース内容である所定の動作を示す動画などの画像がブラウザ１３０に表示される。
その結果、それぞれのブラウザ１３０に同じ動画を表示させることができる。
【００４４】
また、無線通信部が、外部のチャットボットＣＢと通信自在である。
そして、無線通信部が、チャットボットＣＢから所定の動作の指示を受信したとき、制御部が、所定の動作についてのブラウザプログラム１４０の動作命令を実行するように構成されている。
これにより、チャットボットＣＢから動作の指示を送信自在となる。
その結果、チャットボットＣＢを用いてサイネージ表示パネル１１０に表示される動作を操作することができる。
【００４５】
以下、サイネージ表示パネル１１０が、飲食店に設置された例について説明する。
例えば、ランチタイムが終了してディナータイムの準備をする場合、店長が、店用のスマートフォン端末ＳＰを用いて、所定の動作の指示として「ディナーメニュー表示」の旨を、チャット用サーバＣＳを介してチャットボットＣＢへ送信する。
すると、チャットボットＣＢが、一例として複数のサイネージ表示パネル１１０に装着された電子回路モジュール１２０の無線通信部へ「ディナーメニュー表示」の動作の指示を送信する。
【００４６】
各サイネージ表示パネル１１０に装着された電子回路モジュール１２０の制御部は、無線通信部を介して「ディナーメニュー表示」の動作の指示を受信したと判定する。
次に、制御部は、新しくブラウザ１３０を開くとともに、ブラウザプログラム１４０の「ディナーメニュー表示」の動作命令に基づいて、ブラウザプログラム１４０で指定されたインターネット上のリソース特定情報であるＵＲＬのリソース内容を読み込むために、無線通信部を介してサーバＳＶへアクセスする。
そして、制御部が、無線通信部を用いてＵＲＬを読み込んで、ディナーメニューの画像を表示するようにブラウザ１３０に命令を出す。
これにより、各ブラウザ１３０には、一例として「本日のディナー特別メニュー  和牛ステーキ３００ｇ＆北海道産フライドポテト」の文字をその料理の写真が表示される。
表示する内容を切り替える動作の指示を受信したとき、制御部が、既に表示されたブラウザ１３０を閉じるとともに、新しいウインドウとしてブラウザ１３０を開いて、表示させたい新しい内容をブラウザ１３０に表示させるように構成されている。
これにより、ブラウザ１３０の表示内容を切り替えることができる。
なお、表示する内容を切り替える動作の指示を受信したとき、制御部が、既に表示されたブラウザ１３０をそのままの状態で残し、新しいウインドウとしてブラウザ１３０またはブラウザ１３０の新しいタブを、既に表示されたブラウザ１３０の上に重ねて開いて、表示させたい新しい内容を新しいウインドウとしてブラウザ１３０またはブラウザ１３０の新しいタブに表示させるように構成してもよい。
【００４７】
仮に店長がサイネージ表示パネル１１０のある場所から離れた遠隔地にいて直接サイネージ表示パネル１１０に対して動作の指示をできない場合であっても、意図した動作の指示がチャットボットＣＢを介してブラウザ１３０側に伝わる。
その結果、店長は、サイネージ表示パネル１１０を遠隔操作することができる。
さらに、意図した指示がチャット形式のプッシュ通知で店長のスマートフォン端末ＳＰからサイネージ表示パネル側まで伝わる。
その結果、殆どタイムラグなしでサイネージ表示パネル１１０を動作させることができる。
【００４８】
このとき、店長がスマートフォン端末ＳＰを用いてチャットボットＣＢに対して所定の動作の指示をすると、チャットボットＣＢが複数のサイネージ表示パネル１１０上のブラウザ１３０に同時に所定の動作の指示をして、複数のサイネージ表示パネル１１０上のブラウザ１３０が同時に所定の動作を表示することができる。
つまり、各ブラウザ１３０の表示を同時に切り替えたり、動画を同じタイミングで再生することができる。
なお、チャットボットＣＢを介して所定の動作の指示をする構成にすることにより、各店舗のサイネージ表示パネル１１０の表示の切り替え状況を、会社の本部がチャットボットＣＢのログデータを見て把握することができる。
さらに、仮にスマートフォン端末ＳＰの入力で誤りがあったとき、例えば、動作の指示に明らかな誤記があったとき、チャットボットＣＢが、その誤記を正してサイネージ表示パネル１１０側の通信手段に送信することも可能である。
【００４９】
このようにして得られた本発明の第２実施例であるデジタルサイネージ制御システム１００は、所定の動作を示す画像をリソース内容とするデータが、外部のサーバＳＶに設けられ、通信手段である無線通信部が、外部から所定の音声動作の指示を受信したとき、ブラウザ１３０が、無線通信部を用いてインターネット上のリソース特定情報であるユニフォーム・リソース・ロケータを読み込んで所定の動作を表示する構成であることにより、それぞれのブラウザ１３０に同じ動画などの画像を表示させることができる。
【００５０】
さらに、無線通信部が、外部のチャットボットＣＢと通信自在であり、無線通信部が、チャットボットＣＢから所定の動作の指示を受信したとき、制御部が、所定の動作についてのブラウザプログラム１４０の動作命令を実行する構成であることにより、チャットボットＣＢを用いてサイネージ表示パネル１１０に表示される動作を操作することができるなど、その効果は甚大である。
【実施例３】
【００５１】
続いて、本発明の第３実施例であるデジタルサイネージ制御システム１００について、図６に基づいて説明する。
ここで、図６は、本発明の第３実施例のデジタルサイネージ制御システム１００の動作を示す図である。
第３実施例のデジタルサイネージ制御システム１００は、第１実施例のデジタルサイネージ制御システム１００の外部からの指示を基幹系システムからの動作の指示に変更したものであり、多くの要素について第１実施例のデジタルサイネージ制御システム１００と共通するので、共通する事項については詳しい説明を省略する。
【００５２】
本発明の第３実施例であるデジタルサイネージ制御システム１００は、図６に示すように、サイネージ表示パネル１１０と、電子回路モジュール１２０と、サイネージ表示パネル１１０に表示されるブラウザ１３０とを備えている。
本実施例では、無線通信部が、外部の基幹系システムのサーバＢＳと通信自在である。
そして、無線通信部が、基幹系システムから所定の動作の指示を受信したとき、制御部が、所定の動作についてのブラウザプログラム１４０の動作命令を実行するように構成されている。
これにより、常に稼働する基幹系システムから動作の指示を送信自在となる。
その結果、基幹系システムと連係させてサイネージ表示パネル１１０に表示される動作を操作することができる。
【００５３】
以下、サイネージ表示パネル１１０が、会社内に設置された例について説明する。
例えば、基幹系システムが会社内の売上管理システムであり、売上目標を達成したときに売上管理システムのサーバＢＳが、サイネージ表示パネル１１０に装着された電子回路モジュール１２０の無線通信部へ「売上目標達成祝い表示」の動作の指示を送信する。
サイネージ表示パネル１１０に装着された電子回路モジュール１２０の制御部は、無線通信部を介して「売上目標達成祝い表示」の動作の指示を受信したと判定する。
【００５４】
次に、制御部は、ブラウザプログラム１４０の「売上目標達成祝い表示」の動作命令に基づいて、一例として電子回路モジュール１２０の記憶部にアクセスしてブラウザプログラム１４０で指定された画像ファイルを読み込んで表示させるようにブラウザ１３０に命令する。
これにより、ブラウザ１３０には、一例として「おめでとうございます！  売上目標達成しました！」の文字の入った画像が表示される。
画像は、静止画でもよいし、動画でもよい。
【００５５】
なお、画像表示とともにスピーカによって音声を発するようにしてもよい。
また、電子回路モジュール１２０の記憶部にアクセスしたが、前述した実施例２と同様にＵＲＬを参照して外部のサーバＳＶにアクセスしてもよい。
さらに、その他の例として、サイネージ表示パネル１１０を銀行のＡＴＭ（Automated/Automatic Teller Machine）コーナーに設置してもよい。
この場合、お客様によるＡＴＭ機器の操作や、センサーによるお客様の検知をトリガーとして、サイネージ表示パネル１１０のブラウザ１３０の表示を切り替えたり、ブラウザ１３０に動作内容を表示させることができる。
例えば、お客様がキャッシュカードをＡＴＭ機器から取り出した後、キャッシュカードが取り出されてお客様の操作が終了したとＡＴＭ機器が認識し、ＡＴＭ機器と繋がっている基幹系システムが、サイネージ表示パネル１１０に装着された電子回路モジュール１２０の無線通信部へ動作の指示を送信する。
そして、サイネージ表示パネル１１０のブラウザ１３０に表示されたキャラクターが「ありがとうございました！」と言ってお辞儀をする動作をブラウザ１３０に表示するように構成してもよい。
【００５６】
このようにして得られた本発明の第３実施例であるデジタルサイネージ制御システム１００は、通信手段である電子回路モジュール１２０の無線通信部が、外部の基幹系システムのサーバＢＳと通信自在であり、無線通信部が、基幹系システムのサーバＢＳから所定の動作の指示を受信したとき、電子回路モジュール１２０の制御部が、所定の動作についてのブラウザプログラム１４０の動作命令を実行する構成であることにより、基幹系システムと連係させてサイネージ表示パネル１１０に表示される動作を操作することができるなど、その効果は甚大である。
【符号の説明】
【００５７】
１００  ・・・  デジタルサイネージ制御システム
１１０  ・・・  サイネージ表示パネル
１２０  ・・・  電子回路モジュール（通信手段、制御部、記憶部）
１３０  ・・・  ブラウザ
１４０  ・・・  ブラウザプログラム
ＳＰ    ・・・  スマートフォン端末
ＳＶ    ・・・  サーバ
ＣＳ    ・・・  チャット用サーバ
ＣＢ    ・・・  チャットボット
ＢＳ    ・・・  基幹系システムのサーバ
【図１】
2018189785.tif 000003
【図２】
2018189785.tif 000004
【図３】
2018189785.tif 000005
【図４】
2018189785.tif 000006
【図５】
2018189785.tif 000007
【図６】
2018189785.tif 000008